(57)【要約】      （修正有）【課題】収納棚の下部フレームの上面に溜まった水が下部フレームの外方に流れ出ないようにした昇降式収納装置を提供する。【解決手段】キッチン用フロアキャビネット１のカウンターの一部に形成した昇降用開口５内に配置される水切り棚２と、この水切り棚２をカウンター下の収納空間に下降させるとともに、カウンター上に上昇させる昇降機構とを備えた昇降式収納装置において、前記水切り棚２は、シンク３の前方位置に配置されていて、前記昇降用開口５には立上がり部が形成されている。【選択図】図２
2007181712.tif 000002
【特許請求の範囲】
【請求項１】
キッチン用フロアキャビネットのカウンターの一部に形成した昇降用開口内に配置される水切り棚と、この水切り棚をカウンター下の収納空間に下降させるとともに、カウンター上に上昇させる昇降機構とを備えた昇降式収納装置において、
前記水切り棚は、シンクの前方位置に配置されていて、前記昇降用開口には立上がり部が形成されていることを特徴とする昇降式収納装置。
【請求項２】
前記水切り棚の前フレーム部の立上がり部の外面に前部パッキンを取付けて、この前部パッキンの上部に、側面視で前方上向きの上フィン部を形成して、この上フィン部は、昇降用開口の下方に潜り込ませていることを特徴とする請求項１に記載の昇降式収納装置。
【請求項３】
前記前部パッキンの下部に、側面視で前方下向きの下フィン部を形成して、この下フィン部は、上フィン部よりも長くして、収納空間の内壁面に接近させていることを特徴とする請求項１または２に記載の昇降式収納装置。
【発明の詳細な説明】
【技術分野】
【０００１】
本発明は、キッチン用フロアキャビネットに設けられる昇降式収納装置に関する。
【背景技術】
【０００２】
一般に、キッチン用フロアキャビネットは、カウンター下に収納部を設けているから、収納物（皿、鍋、調味料等）を出し入れするには、調理作業等を一旦中断して屈んだ状態で収納部から収納物を出し入れする必要があった。
【０００３】
このため、フロアキャビネット上方の天袋に収納部を設けて、収納物を出し入れする際に、収納部を引き下ろせるようにしたものがある（特許文献１、２参照）。
【０００４】
しかしながら、特許文献１、２のような昇降式収納装置は、収納部を引き下ろした時でも、収納部の上段に収納物を出し入れしにくいという問題があった。
【０００５】
また、キッチンとダイニングとの間に壁面が無いオープン型の対面キッチンにおいては、設置すべき壁面が無いので、昇降式収納装置を設置しづらいという問題があった。
【０００６】
そこで、本出願人は、オープン型の対面キッチンに好適で、収納物を出し入れしやすくするために、キッチン用フロアキャビネットのカウンターの一部に形成した昇降用開口内に配置される収納棚（水切り棚）と、この収納棚をカウンター下の収納空間に下降させるとともに、カウンター上に上昇させる昇降機構とを備えた昇降式収納装置を提案した。
【特許文献１】特開２０００−３１６６４３号公報
【特許文献２】特開２００１−１４９２９７号公報
【発明の開示】
【発明が解決しようとする課題】
【０００７】
本出願人の提案に係る昇降式収納装置において、収納棚の下部フレームの上面に溜まった水が下部フレームの外方に流れ出ないようにしたいという要望があった。
【０００８】
本発明は、前記要望に応えるためになされたもので、収納棚の下部フレームの上面に溜まった水が下部フレームの外方に流れ出ないようにした昇降式収納装置を提供することを目的とするものである。
【課題を解決するための手段】
【０００９】
前記課題を解決するために、本発明は、キッチン用フロアキャビネットのカウンターの一部に形成した昇降用開口内に配置される水切り棚と、この水切り棚をカウンター下の収納空間に下降させるとともに、カウンター上に上昇させる昇降機構とを備えた昇降式収納装置において、前記水切り棚は、シンクの前方位置に配置されていて、前記昇降用開口には立上がり部が形成されていることを特徴とする昇降式収納装置を提供するものである。
【００１０】
請求項２のように、前記水切り棚の前フレーム部の立上がり部の外面に前部パッキンを取付けて、この前部パッキンの上部に、側面視で前方上向きの上フィン部を形成して、この上フィン部は、昇降用開口の下方に潜り込ませている構成とすることが好ましい。
【００１１】
請求項３のように、前記前部パッキンの下部に、側面視で前方下向きの下フィン部を形成して、この下フィン部は、上フィン部よりも長くして、収納空間の内壁面に接近させている構成とすることが好ましい。
【発明の効果】
【００１２】
本発明によれば、フロアキャビネットのカウンターに形成した昇降用開口内に設置した収納棚を、不使用時にはカウンター下の収納空間に下降させるとともに、使用時にはカウンター上に上昇させるようにしたから、キッチンとダイニングとの間に壁面が無いオープン型の対面キッチンに好適であって、収納棚をカウンター上に上昇させれば、屈まずに収納棚から収納物を出し入れできるようになる。
【００１３】
また、収納棚は、カウンター上に上昇させるだけであるから、収納棚のいずれの段にある食器等の収納物でも出し入れしやすくなるとともに、収納棚をカウンター下の収納空間に下降させれば、カウンター上面を広く使えるようになるとともに、カウンター上での別の作業の邪魔にならなくなる。
【発明を実施するための最良の形態】
【００１４】
以下、本発明を実施するための最良の形態について、図面を参照しながら詳細に説明する。
【００１５】
図１および図２はキッチン用フロアキャビネット１であって、図１は収納棚（水切り棚）２が下降位置（不使用時）Ｄの斜視図、図２は収納棚２が上昇位置（使用時）Ｕの斜視図である。前記フロアキャビネット１は、キッチンとダイニング・リビングとの間に壁面が無いオープン型の対面キッチンを想定しているが、オープン型の対面キッチンでなくても可能である。
【００１６】
前記フロアキャビネット１のカウンターの右側位置にシンク３が設けられ、このシンク３の前方位置に収納棚２が配置されている。なお、シンク３の側方位置に収納棚２を配置することもできる。ここで、左右や前後の方向の表現は、キッチン側でシンク３の前に立ってダイニング・リビング側を向いた者が見た状態としている。
【００１７】
前記収納棚２は、フロアキャビネット１のカウンター１ａに形成された昇降用開口５（図４参照）内に配置されて、この収納棚２は、後述する昇降機構６によって、カウンター下の収納空間１４（図４参照）に下降させる下降位置Ｄと、カウンター上に上昇させる上昇位置Ｕとに昇降されるようになる。図２のように、前記昇降用開口５は、横長四角枠状のカバー枠８で覆われている。
【００１８】
前記収納棚２には、上下２段で食器類の水切り部２ａ，２ｂが設けられている。
【００１９】
前記収納棚２の天板カウンター４は、図１のように、下降位置Ｄでは、カバー枠８とともに昇降用開口５を覆ってフロアキャビネット１のカウンター面と僅かの隙間を隔てて対向し、カウンターの一部を構成することになるから、この天板カウンター４の上をカウンタースペース（作業スペース）として利用することができる。
【００２０】
この天板カウンター４の右側前面位置には、収納棚２を昇降操作するためのスイッチパネル７が取付けられ、このスイッチパネル７には、図３に詳細に示すように、上昇スイッチ７ａ、停止スイッチ７ｂ、下降スイッチ７ｃが設けられるとともに、点滅ランプやスピーカー等でなるトラップ給水報知・警報部７ｄ、異物挟み込み報知・警報部７ｅ、過積載報知・警報部７ｆが設けられている。
【００２１】
図７（ａ）は天板カウンター４を省略した収納棚２の斜視図である。前記収納棚２は、横長長方形状の上部フレーム２Ａと下部フレーム２Ｂと、縦長長方形状の左側部フレーム２Ｃと右側部フレーム２Ｄとで横長四角枠状に溶接等で一体的に組み立てられていて、下部フレーム２Ｂの下部に水受けトレー１０（図５参照）を取付けている。
【００２２】
前記上部フレーム２Ａと下部フレーム２Ｂと左側部フレーム２Ｃと右側部フレーム２Ｄとの裏面（ダイニング・リビング側）には化粧板１１が取付けられて覆われるとともに、左側部フレーム２Ｃと右側部フレーム２Ｄ、および上部フレーム２Ａには、化粧板１２ａ〜１２ｃがそれぞれ取付けられている。なお、化粧板１１が透光性であると、ダイニング・リビング側の光で収納棚２内を明るくすることができる。
【００２３】
図４〜図６に示すように、前記昇降用開口５に対応するフロアキャビネット１の内部には、下降位置Ｄの収納棚２を収納する収納空間１４が設けられ、この収納空間１４は、左右の側板１４Ａ，１４Ｂと底板１４Ｃとで上面が開口した略Ｕ字状に形成されている。そして、左右の側板１４Ａ，１４Ｂと底板１４Ｃとのシンク３側の面は背板１４Ｄで閉じられているとともに、ダイニング側の面は点検用扉１４Ｅで開閉可能に閉じられている。
【００２４】
前記収納空間１４内には、収納棚２の昇降機構６等が収納されている。すなわち、前記収納空間１４の左右の側板１４Ａ，１４Ｂの内面には、上下方向に延在して、奥行き方向に一対のガイドレール１５がそれぞれ固定され、この一対のガイドレール１５の間に位置する左右の側板１４Ａ，１４Ｂの内面には、ガイドレール１５の上端部と下端部とに対応して、上プーリ１６Ａと下プーリ１６Ｂとがそれぞれ固定されている。
【００２５】
前記収納棚２の左側部フレーム２Ｃと右側部フレーム２Ｄとの下部には、図７（ｂ）に示すように、Ｈ字状のブラケット１７がそれぞれ固定され、各ブラケット１７には、前記対応するガイドレール１５に上下摺動可能に嵌り込む合成樹脂製のシュー１８がそれぞれ取付けられている。
【００２６】
そして、前記ブラケット１７のシュー１８がガイドレール１５で上下摺動するようにガイドされることにより、収納棚２がカウンター下の下降位置Ｄと、カウンター上の上昇位置Ｕとに昇降動されるようになる。
【００２７】
前記収納空間１４の底板１４Ｃの左右方向のほぼ中央位置には、電動モータ２０と、この電動モータ２０でチェーン２１ａを介して駆動される２個のドラム２１Ａ，２１Ｂとが設置されて、一方のドラム２１Ａには、左側のベルト２２Ａが下方から巻き付けられて内端部が係止されるとともに、他方のドラム２１Ｂには、右側のベルト２２Ｂが上方から巻き付けられて内端部が係止されている。
【００２８】
前記左側のベルト２２Ａは、左の側板１４Ａの下プーリ１６Ｂと上プーリ１６Ａとに順に掛け回されて、その外端部が前記収納棚２の左側部フレーム２Ｃのブラケット１７に係止されるとともに、前記右側のベルト２２Ｂは、右の側板１４Ｂの下プーリ１６Ｂと上プーリ１６Ａとに順に掛け回されて、その外端部が前記収納棚２の右側部フレーム２Ｄのブラケット１７に係止されるようになる。
【００２９】
したがって、前記スイッチパネル７の上昇スイッチ７ａをプッシュ操作することで、電動モータ２０が正転すると、各ドラム２１Ａ，２１Ｂが図５において矢印ａ回りに駆動されて、左右のベルト２２Ａ，２２Ｂが各ドラム２１Ａ，２１Ｂに巻き取られることで、収納棚２の左右のブラケット１７が左右のベルト２２Ａ，２２Ｂで引っ張り上げられながらガイドレール１５でガイドされて上昇することにより、収納棚２がカウンター上の上昇位置Ｕに上昇されるようになる。前記収納棚２が上昇位置Ｕまで上昇されると、電動モータ２０が停止して、逆転しないようにブレーキが掛けられるとともに、上昇スイッチ７ａをさらにプッシュ操作しても電動モータ２０が正転されないように制御される。
【００３０】
前記スイッチパネル７の下降スイッチ７ｃをプッシュ操作することで、電動モータ２０のブレーキが解除されて、収納棚２の左右のブラケット１７がガイドレール１５でガイドされて、収納棚２が自重で下降することにより、収納棚２がカウンター下の下降位置Ｄに下降されるようになる。なお、図５において、１７´は、下降位置Ｄのブラケットを示している。
【００３１】
この場合、電動モータ２０を逆転させながら左右のベルト２２Ａ，２２Ｂを各ドラム２１Ａ，２１Ｂに巻き戻すようになるが、この電動モータ２０の逆転は、収納棚２が自重で急激に下降しないようにブレーキを掛けるように設定されている。なお、下降スイッチ７ｃをプッシュ操作すると、収納棚２がカウンター下の下降位置Ｄに自動下降されるが、下降位置Ｄの手前（例えば５０ｍｍ程度）までは、自動下降するが、それ以上の下降は、下降スイッチ７ｃをプッシュ操作し続けなければ下降しないようにすれば（いわゆる２段押し）、安全性を高めることができる。
【００３２】
また、前記スイッチパネル７の停止スイッチ７ｂをプッシュ操作すると、電動モータ２０が停止して、収納棚２を上昇途中位置または下降途中位置でストップさせることができる。
【００３３】
前記収納空間１４の底板１４Ｃの上には、制御ボックス３２（図４参照）が取付けられ、この制御ボックス３２の制御回路に、前記電動モータ２０、各スイッチ７ａ〜７ｃ、各報知・警報部７ｄ〜７ｆ等が接続されている。
【００３４】
一方、前記収納棚２の水受けトレー１０の底部は、中央部が下向きに窪むように形成されて、この底部の中央部には排水口１０ａが設けられている。この排水口１０ａにフレキシブルな排水パイプ２５の一端２５ａが連結されるとともに、この排水パイプ２５の他端２５ｂは、前記収納空間１４の背板１４Ｄの内壁面に取付けた水受けマス２６の上部位置に連結されている。
【００３５】
前記水受けマス２６は、上部が開口した四角箱状であり、この水受けマス２６の下部にはＵ字状の排水トラップ２７の入口端が連結されるとともに、この排水トラップ２７の出口端には排水管２８が連結されている。この排水管２８は、前記収納空間１４の底板１４Ｃの開口１４ａから下水配管等（図示せず。）に連結されている。
【００３６】
さらに、前記収納空間１４の背板１４Ｄの内壁面に取付けた水受けマス２６とほぼ同じ高さ位置に、傾斜させた水受け樋３０が背板１４Ｄの内壁面に水密状態で取付けられて、この水受け樋３０の傾斜下側は、水受けマス２６の上部位置に連結されている。この水受け樋３０は、前記昇降用開口５の前側のほぼ真下に位置させている。
【００３７】
図８に示すように、前記収納棚２の上部フレーム２Ａの化粧板１２ｃの下面、つまり収納棚２の天井側に換気ファン３５が取付けられ、この換気ファン３５には、一定湿度以上の時に換気ファン３５を駆動制御するために、湿度を検出する湿度センサー３４が取付けられている。
【００３８】
図９、図１０に示すように、前記カウンター１ａの昇降用開口５に近い上面の四周囲には、適当な間隔を隔てて合成樹脂製の複数個の係止具４８固定しているとともに、前記カバー枠８の下面には、前記係止具４８のフックで係止可能な内向きのフック溝を形成した被係止部８ｆが一体形成されている。
【００３９】
これにより、前記カウンター１ａの昇降用開口５に近い上面の四周囲にカバー枠８を当てがって、上方から力をかけると、カウンター１ａの上面の係止具４８がカバー枠８の下面の被係止部８ｆで内向きに撓まされながら、係止具４８のフックが被係止部８ｆのフック溝に係止されるので、カバー枠８をカウンター１の上面にワンタッチで係止固定することができる。
【００４０】
前記カウンター１ａの前記係止具４８よりも外側の上面の前側、左右側の三周囲（後側は無くても可。）には、凸条のバックガード４９を設けている。このバックガード４９は、前記カバー枠８をカウンター１の上面に係止固定したときに、カバー枠８で覆われるようになる。
【００４１】
前記カバー枠８の立上がり部８ａの内面の後側、左右側の三周囲（前側は無くても可。）には、前記昇降用開口８を目隠しする植毛部（モヘア）５０を設けている。この植毛部５０の先端は、前記収納棚２の各フレーム２Ａ〜２Ｄの裏面の化粧板１１および左右面の化粧板１２ａ，１２ｂに僅かに接触するようになる。
【００４２】
前記収納棚２の下部フレーム２Ｂの前フレーム部２ｃと後フレーム部２ｄの上面の外側位置には、立上がり部２ｅをそれぞれ形成している。
【００４３】
この立上がり部２ｅは、具体的に図示しないが、下部フレーム２Ｂの左フレーム部と右フレーム部にも形成してもよい。これにより、下部フレーム２Ｂの四周囲に立上がり部２ｅが形成されることになる。
【００４４】
前記立上がり部２ｅに内面は、内方に向かう傾斜面２ｆに形成されている。なお、前フレーム部２ｃの傾斜面２ｆは、直線状であり、後フレーム部２ｄの傾斜面２ｆは円弧状であるが、いずれかを適宜に選択することができる。
【００４５】
図１１（ａ）に詳細に示すように、前記下部フレーム２Ｂの後フレーム部２ｄの外面には、前記裏面の化粧板１１の下端部を嵌め込むサッシ溝５３ａを有するサッシ５３が取付けられている。このサッシ５３のサッシ溝５３ａと化粧板１１の内面との間の隙間に圧嵌めする後部パッキン５４を設けて、この後部パッキン５４に、前記立上がり部２ｅの上端に圧接するフィン部５４ａを形成している。前記後部パッキン５４には、前記化粧板１１に圧接してシールする突起５４ｂと、前記サッシ溝５３ａに圧接してシールするサッシ用フィン部５４ｃとを形成している。なお、図１１（ａ）では、突起５４ｂが化粧板１１に食い込むように描かれ、サッシ用フィン部５４ｃがサッシ５３に食い込むように描かれているが、これは、突起５４ｂとサッシ用フィン部５４ｃのフリーな状態を示しているものである。
【００４６】
また、前記下部フレーム２Ｂの下部に取付ける水受けトレー１０の上面に凸条１０ｂを形成して、下部フレーム２Ｂに前記凸条１０ｂが嵌め込まれる凹条２ｇを形成して、凸条１０ｂと凹条２ｇとの間の隙間にパッキン５６を入れれば、このパッキン５６で止水されて、水が水受けトレー１０の上面から外方に流れ出なくなる。
【００４７】
図１０（ｂ）に詳細に示すように、前記下部フレーム２Ｂの前フレーム部２ｃの立上がり部２ｅの外面に前部パッキン５５を取付けている。この前部パッキン５５には、側面視で前方上向きの上フィン部５５ａを上部に形成するとともに、側面視で前方下向きの下フィン部５５ｂを下部に形成している。
【００４８】
前記前部パッキン５５の上フィン部５５ａと下フィン部５５ｂとは、収納棚２の昇降時には、前記水受けマス２６を取付けた背板１４Ｄの内壁面に接触しない長さに設定するとともに、上フィン部５５ａは、昇降用開口５の下方に潜り込ませ、下フィン部５５ｂは、上フィン部５５ａよりも長くして、背板１４Ｄの内壁面に接近させている。
【００４９】
前記のようなフロアキャビネット１であれば、フロアキャビネット１のカウンターに形成した昇降用開口５内に設置した収納棚２を、不使用時にはカウンター下の収納空間１４に下降させるとともに、使用時にはカウンター上に上昇させるようにしたから、キッチンとダイニングとの間に壁面が無いオープン型の対面キッチンに好適であって、収納棚２をカウンター上に上昇させれば、屈まずに収納棚２から収納物を出し入れできるようになる。
【００５０】
また、収納棚２は、カウンター上に上昇させるだけであるから、収納棚２のいずれの段にある食器等の収納物でも出し入れしやすくなるとともに、収納棚２をカウンター下の収納空間１４に下降させれば、カウンター上面を広く使えるようになるとともに、カウンター上での別の作業の邪魔にならなくなる。
【００５１】
一方、収納棚２の下部フレーム２Ｂの前フレーム部２ｃと後フレーム部２ｄの上面の外側位置に立上がり部２ｅを形成したから、下部フレーム２Ｂの下部に水受けトレー１０を取付けている場合には、下部フレーム２Ｂの前フレーム部２ｃと後フレーム部２ｄの上面に溜まった水が立上がり部２ｅで止水されて、下部フレーム２Ｂの外方に流れ出なくなって、水受けトレー１０で回収されるようになる。
【００５２】
また、立上がり部２ｅの内面が内方に向かう傾斜面２ｆであるから、傾斜面２ｆに付着した水が傾斜面２ｆを伝って下部フレーム２Ｂの内方に素早く戻されるようになる。
【００５３】
さらに、下部フレーム２Ｂの後フレーム部２ｄの外面に取付けたサッシ５３のサッシ溝５３ａと化粧板１１の内面との間の隙間に後部パッキン５４を圧嵌めして、フィン部５４ａを後フレーム部２ｄの立上がり部２ｅの上端に圧接させたから、後フレーム部２ｄの上面に溜まった水が立上がり部２ｅで止水されて後フレーム部２ｄからサッシ溝５３ａを通って化粧板１１の外方に流れ出ないようになるとともに、水が立上がり部２ｅを乗り越えても、後部パッキン５４によって、サッシ溝５３ａから外方に流れ出ないようになる。
【００５４】
しかも、後部パッキン５４のフィン部５４ａを立上がり部２ｅの上端に圧接させているので、フィン部５４ａと立上がり部２ｅの上端との間から水が外方に流れ出ないようになる。
【００５５】
因みに、下部フレーム２Ｂの後フレーム部２ｄに立上がり部２ｅを形成していない比較例１を図１１（ｂ）に示すように、後部パッキン５４のフィン部５４ａを後フレーム部２ｄの上面に圧接させているが、後フレーム部２ｄの上面に溜まった水がフィン部５４ａの圧接部分に常に滞留しているので、フィン部５４ａの組み付け誤差や劣化等で圧接力が弱くなると、フィン部５４ａから染み込んだ水が後フレーム部２ｄとサッシ５３との隙間を通って、矢印ｇのように、収納空間１４内に入り込むおそれがある。そのために、後フレーム部２ｄとサッシ５３との隙間にパッキン５７を取付ける必要がある。
【００５６】
同様に、比較例２を図１１（ｃ）に示すように、後部パッキン５４にフィン部５４ａが無いと、フィン部５４ａが有る場合と比較して、多量の水が後フレーム部２ｄとサッシ５３との隙間を通って、矢印ｇのように、収納空間１４内に入り込むおそれがある。そのために、後フレーム部２ｄとサッシ５３との隙間に、比較例１よりも水密性の高いパッキン５７を取付ける必要がある。
【００５７】
これらの比較例１，２に対して、本実施形態であれば、後フレーム部２ｄの上面に溜まった水が立上がり部２ｅで完全に止水され、立上がり部２ｅを乗り越えようとする僅かな水をパッキン５４のフィン部５４ａで止水するだけであるから、フィン部５４ａから水が染み込む可能性が極めて少ないので、サッシ溝５３ａから外方に流れ出たり、収納空間１４内に入り込むおそれがなくなる。
【００５８】
さらに、下部フレーム２Ｂの前フレーム部２ｃの立上がり部２ｅでは、下部フレーム２Ｂに取付けた水切り部２ｂの食器類が外方に飛び出さないようにブロックされるようになる。
【００５９】
また、昇降用開口５から収納空間１４内に落下しながら入った水は、前フレーム部２ｃの前部パッキン５５の上フィン部５５ａで下部フレーム２Ｂの内方に誘導されるとともに〔図１０（ｂ）の矢印ｔ参照〕、上フィン部５５ａからこぼれ落ちた水は、下フィン部５５ｂで外方に誘導されるが〔図１０（ｂ）の矢印ｕ参照〕、この外方位置に水受け樋３０を取付けた背板１４Ｄを設けてあるから、外方に誘導された水が背板１４Ｄを伝わって水受け樋３０に流れ落ちるようになる。
【図面の簡単な説明】
【００６０】
【図１】本発明の実施形態を示すキッチン用フロアキャビネットであり、収納棚が下降位置の斜視図である。
【図２】本発明の実施形態を示すキッチン用フロアキャビネットであり、収納棚が上昇位置の斜視図である。
【図３】スイッチパネルの正面図である。
【図４】昇降式収納装置をダイニング・リビング側から見た斜視図である。
【図５】（ａ）は昇降式収納装置をダイニング・リビング側から見た正面図である。
【図６】（ａ）は収納棚を省略した昇降式収納装置の平面図、（ｂ）は昇降式収納装置の要部断面側面図である。
【図７】（ａ）は天板カウンターを省略した収納棚の斜視図、（ｂ）はガイドレールとブラケットの斜視図である。
【図８】（ａ）は収納棚を下方から見上げた斜視図、（ｂ）は換気ファン部分の拡大斜視図である。
【図９】収納棚と昇降用開口との関係を示す要部斜視図である。
【図１０】（ａ）は収納棚と昇降用開口との関係を示す側面断面図、（ｂ）は（ａ）のＦ部拡大図、（ｃ）は（ａ）のＧ部拡大図である。
【図１１】後フレーム部と化粧板との関係を示し、（ａ）は側面断面図、（ｂ）が比較例１の側面断面図、（ｃ）は比較例２の側面断面図である。
【符号の説明】
【００６１】
１      キッチン用フロアキャビネット
１ａ    カウンター
２      収納棚
２Ａ    上部フレーム
２Ｂ    下部フレーム
２Ｃ    左側部フレーム
２Ｄ    右側部フレーム
２ｃ    前フレーム部
２ｄ    後フレーム部
２ｅ    立上がり部
２ｆ    傾斜面
５      昇降用開口
６      昇降機構
１０    水受けトレー
１１    化粧板
１４    収納空間
１４Ｄ  背板
３０    水受け樋
５３    サッシ
５２ａ  サッシ溝
５４    後部パッキン
５４ａ  フィン部
５５    前部パッキン
５５ａ  上フィン部
５５ｂ  下フィン部
【図１】
2007181712.tif 000003
【図２】
2007181712.tif 000004
【図３】
2007181712.tif 000005
【図４】
2007181712.tif 000006
【図５】
2007181712.tif 000007
【図６】
2007181712.tif 000008
【図７】
2007181712.tif 000009
【図８】
2007181712.tif 000010
【図９】
2007181712.tif 000011
【図１０】
2007181712.tif 000012
【図１１】
2007181712.tif 000013